(57)【要約】【課題】本発明は、実測流量に応じた湯水を暖房端末に供給可能な技術を提供することを目的とする。【解決手段】熱媒を加熱する加熱部Ｈを備え、加熱部Ｈから少なくとも一の暖房端末２０に熱媒を供給する熱源機１０であって、熱媒の単位時間当たりの供給量である定格流量に対して設定されている、一サイクル時間における開閉弁の開時間及び閉時間を記憶する記憶部３２と、加熱部Ｈから暖房端末２０に供給される熱媒の単位時間当たりの実測流量を取得し、暖房端末２０についての定格流量に対応する開閉弁Ｖの開時間を、実測流量と定格流量との比較に基づいて補正し、実測流量に対応する開閉弁Ｖの開時間を求める補正部３３と、実測流量と、実測流量に対応する開閉弁Ｖの開時間とに基づいて、暖房端末２０に熱媒を供給する運転制御部３４と、を備える。【選択図】図１
2019152401.tif 000002
【特許請求の範囲】
【請求項１】
熱媒を加熱する加熱部を備え、前記加熱部から少なくとも一の暖房端末に熱媒を供給する熱源機であって、
熱媒の単位時間当たりの供給量である定格流量に対して設定されている、一サイクル時間における開閉弁の開時間及び閉時間を記憶する記憶部と、
前記加熱部から前記暖房端末に供給される熱媒の単位時間当たりの実測流量を取得し、前記暖房端末についての前記定格流量に対応する前記開閉弁の開時間を、前記実測流量と前記定格流量との比較に基づいて補正し、前記実測流量に対応する前記開閉弁の開時間を求める補正部と、
前記実測流量と、前記実測流量に対応する前記開閉弁の開時間とに基づいて、前記暖房端末に熱媒を供給する運転制御部と、
を備える、熱源機。
【請求項２】
前記補正部は、前記実測流量が前記定格流量よりも多い場合には、前記定格流量に対応する前記開閉弁の開時間を減らす補正を行い、前記実測流量に対応する前記開閉弁の開時間を求める、請求項１に記載の熱源機。
【請求項３】
前記補正部は、前記定格流量に対応する前記開閉弁の開時間を、前記実測流量に対する前記定格流量の比（定格流量／実測流量）に基づいて補正し、前記実測流量に対応する前記開閉弁の開時間を求める、請求項１又は２に記載の熱源機。
【請求項４】
前記補正部は、前記実測流量に対応する前記開閉弁の開時間を次式により求める、請求項１〜３のいずれか１項に記載の熱源機。
ＡＯｐｅｎ＝（ＲＯｐｅｎ＋（ＲＯｐｅｎ×（定格流量／実測流量））／２
ＲＯｐｅｎは、前記定格流量に対応する前記開閉弁の開時間、
ＡＯｐｅｎは、前記実測流量に対応する前記開閉弁の開時間である。
【請求項５】
前記暖房端末についての前記定格流量を受け付ける入力受付部と、
前記加熱部から前記暖房端末に熱媒を供給する流路である一の熱媒往き路と、を備え、
前記実測流量を計測する流量計が、前記熱媒往き路に設けられている、請求項１〜４のいずれか１項に記載の熱源機。
【請求項６】
前記暖房端末には、第１定格流量が設定され、第１実測流量によって熱媒が供給される第１暖房端末と、第２定格流量が設定され、第２実測流量によって熱媒が供給される第２暖房端末が含まれており、
前記運転制御部が、前記第１暖房端末及び前記第２暖房端末の両方に熱媒を供給しており、
前記第１定格流量と前記第１実測流量とを比較した第１比較値が、前記第２定格流量と前記第２実測流量とを比較した第２比較値よりも小さい場合、
前記補正部は、前記第１定格流量に対応する前記開閉弁の開時間を、前記第１実測流量と前記第１定格流量との比較に基づいて補正し、前記第１実測流量に対応する前記開閉弁の開時間を求め、さらに、前記第２定格流量に対応する前記開閉弁の開時間を、前記第１実測流量と前記第１定格流量との比較に基づいて補正し、前記第２実測流量に対応する前記開閉弁の開時間を求め、
前記運転制御部は、前記第１実測流量と、前記第１実測流量に対応する前記開閉弁の開時間とに基づいて、前記第１暖房端末に熱媒を供給し、前記第２実測流量と、前記第２実測流量に対応する前記開閉弁の開時間とに基づいて、前記第２暖房端末に熱媒を供給する、請求項２〜５のいずれか１項に記載の熱源機。
【請求項７】
熱媒を加熱する加熱部を備え、前記加熱部から少なくとも一の暖房端末に熱媒を供給する熱源機の運転方法であって
前記熱源機は、
熱媒の単位時間当たりの供給量である定格流量に対して設定されている、一サイクル時間における開閉弁の開時間及び閉時間を記憶する記憶部を備え、
前記加熱部から前記暖房端末に供給される熱媒の単位時間当たりの実測流量を取得し、前記暖房端末についての前記定格流量に対応する前記開閉弁の開時間を、前記実測流量と前記定格流量との比較に基づいて補正し、前記実測流量に対応する前記開閉弁の開時間を求め、
前記実測流量と、前記実測流量に対応する前記開閉弁の開時間とに基づいて、前記暖房端末に熱媒を供給する、熱源機の運転方法。
【請求項８】
熱媒を加熱する加熱部を有する熱源機と、前記加熱部から前記熱媒の供給を受ける少なくとも一の暖房端末とを備える暖房システムであって、
熱媒の単位時間当たりの供給量である定格流量に対して設定されている、一サイクル時間における開閉弁の開時間及び閉時間を記憶する記憶部と、
前記加熱部から前記暖房端末に供給される熱媒の単位時間当たりの実測流量を取得し、前記暖房端末についての前記定格流量に対応する前記開閉弁の開時間を、前記実測流量と前記定格流量との比較に基づいて補正し、前記実測流量に対応する前記開閉弁の開時間を求める補正部と、
前記実測流量と、前記実測流量に対応する前記開閉弁の開時間とに基づいて、前記暖房端末に熱媒を供給する運転制御部と、
を備える、暖房システム。
【請求項９】
熱媒を加熱する加熱部を有する熱源機と、前記加熱部から前記熱媒の供給を受ける少なくとも一の暖房端末とを備える暖房システムの運転方法であって、
前記暖房システムは、
熱媒の単位時間当たりの供給量である定格流量に対して設定されている、一サイクル時間における開閉弁の開時間及び閉時間を記憶する記憶部を備え、
前記加熱部から前記暖房端末に供給される熱媒の単位時間当たりの実測流量を取得し、前記暖房端末についての前記定格流量に対応する前記開閉弁の開時間を、前記実測流量と前記定格流量との比較に基づいて補正し、前記実測流量に対応する前記開閉弁の開時間を求め、
前記実測流量と、前記実測流量に対応する前記開閉弁の開時間とに基づいて、前記暖房端末に熱媒を供給する、暖房システムの運転方法。
【発明の詳細な説明】
【技術分野】
【０００１】
本発明は、熱源機、熱源機の運転方法、暖房システム、暖房システムの運転方法に関する。
【背景技術】
【０００２】
特許文献１には、熱源機、床暖房端末及び床暖房用リモコンが配管及び配線で接続されている床暖房システムが開示されている。床暖房システムの試運転では、各床暖房端末に熱源機で生成した湯水を供給する。この床暖房端末への湯水の供給は、熱源機と床暖房端末との間に設けられた熱動弁を、所定時間に設定されたサイクル時間内において開閉することで行われる。これにより、熱源機において加熱した湯水を、熱源機と床暖房端末との間で間欠的に循環させて床暖房端末を加温している。
【０００３】
そして、床暖房端末に設けた床温検出器で検出した床温が所定の温度に達するか否かによって、湯水の張り状態、誤配管及び誤配線の確認などを行う。
【先行技術文献】
【特許文献】
【０００４】
【特許文献１】特開平１０−９５９２号公報
【発明の概要】
【発明が解決しようとする課題】
【０００５】
前述のように床暖房端末に湯水を供給する場合、床暖房端末の定格流量に対して、サイクル時間内における熱動弁の開閉時間が設定されている。例えばサイクル時間が２０分であり定格流量が１．０Ｌ／ｍｉｎである場合、加熱能力に応じて異なるが、例えば熱動弁は８分のあいだ開弁され、１２分のあいだ閉弁されるように設定されている。つまり、熱動弁の開閉時間は、熱媒が床暖房端末に定格流量で供給されていることを想定して設定されている。
【０００６】
しかし、床暖房端末に供給される熱媒の流量を実際に計算或いは測定してみると、床暖房端末には定格流量とは異なる流量の熱媒が供給されていることが多く、例えば、実際の流量が定格流量よりも大きい場合には、床暖房端末には、床温度を所定温度にするために必要な熱量よりも多い湯水が供給されていることになる。この場合、床暖房端末には、床温度を所定温度するよりも過剰な湯水が供給されている。
【０００７】
そこで、本発明は上述の課題に鑑みてなされたものであり、実際の流量に応じた湯水を暖房端末に供給可能な技術を提供することを目的とする。
【課題を解決するための手段】
【０００８】
本発明に係る熱源機の特徴構成は、
熱媒を加熱する加熱部を備え、前記加熱部から少なくとも一の暖房端末に熱媒を供給する熱源機であって、
熱媒の単位時間当たりの供給量である定格流量に対して設定されている、一サイクル時間における開閉弁の開時間及び閉時間を記憶する記憶部と、
前記加熱部から前記暖房端末に供給される熱媒の単位時間当たりの実測流量を取得し、前記暖房端末についての前記定格流量に対応する前記開閉弁の開時間を、前記実測流量と前記定格流量との比較に基づいて補正し、前記実測流量に対応する前記開閉弁の開時間を求める補正部と、
前記実測流量と、前記実測流量に対応する前記開閉弁の開時間とに基づいて、前記暖房端末に熱媒を供給する運転制御部と、
を備える点にある。
【０００９】
本特徴構成によれば、補正部は、加熱部から暖房端末に実際に供給される熱媒の単位時間当たりの実測流量を取得する。そして、補正部は、定格流量に対応する開閉弁の開時間を補正し、実測流量に対応する開閉弁の開時間を求める。そして、運転制御部が、補正された開閉弁の開時間と実測流量とに基づいて暖房端末に熱媒を供給する。このような実測流量に基づいて補正された開時間により暖房端末に熱媒が供給されるため、所望の加熱能力に応じた熱媒量が概ね過不足なく暖房端末に供給できる。
【００１０】
例えば、定格流量が実測流量より少ないとする（定格流量＜実測流量）。この場合、実測流量により加熱部から暖房端末に熱媒が供給されるにも関わらず、定格流量に対応して設定された開時間を用いて開閉弁が制御されると、暖房端末には過剰に熱媒が供給されてしまう。本特徴構成によれば、実測流量に基づいて開閉弁の開時間を補正するため、所望の加熱能力に応じた熱媒量を概ね過不足なく暖房端末に供給できる。これにより、過剰な熱媒を供給することを抑制し、省エネを図ることもできる。
【００１１】
本発明に係る熱源機の更なる特徴構成は、
前記補正部は、前記実測流量が前記定格流量よりも多い場合には、前記定格流量に対応する前記開閉弁の開時間を減らす補正を行い、前記実測流量に対応する前記開閉弁の開時間を求める点にある。
【００１２】
定格流量は、加熱部からの熱媒の供給による暖房端末の暖房能力を保証するため、通常は、実測流量よりも少なくなっている（定格流量＜実測流量）。そこで、本特徴構成によれば、補正部は、定格流量に対応する開閉弁の開時間を減らすことで、実測流量に対応する開閉弁の開時間を求める。そして、運転制御部が、補正された開閉弁の開時間と実測流量とに基づいて暖房端末に熱媒を供給する。よって、所望の加熱能力に応じた熱媒量を概ね過不足なく暖房端末に供給できる。
【００１３】
本発明に係る熱源機の更なる特徴構成は、
前記補正部は、前記定格流量に対応する前記開閉弁の開時間を、前記実測流量に対する前記定格流量の比（定格流量／実測流量）に基づいて補正し、前記実測流量に対応する前記開閉弁の開時間を求める点にある。
【００１４】
本特徴構成によれば、実測流量に対応する開時間は、定格流量に対応する開時間を、実測流量に対する定格流量の比により按分して容易に求めることができる。
【００１５】
本発明に係る熱源機の更なる特徴構成は、
前記補正部は、前記実測流量に対応する前記開閉弁の開時間を次式により求める点にある。
ＡＯｐｅｎ＝（ＲＯｐｅｎ＋（ＲＯｐｅｎ×（定格流量／実測流量））／２
ＲＯｐｅｎは、前記定格流量に対応する前記開閉弁の開時間、
ＡＯｐｅｎは、前記実測流量に対応する前記開閉弁の開時間である。
【００１６】
本特徴構成の上記式により、補正部は、ＲＯｐｅｎ×（定格流量／実測流量）を算出することで、定格流量に対応する開時間を、実測流量に対する定格流量の比により按分して、実測流量に対応する仮の開時間を求める。さらに、補正部は、上記式により、この実測流量に対応する仮の開時間と、定格流量に対応する開時間との平均をとることで、実測流量に対応する開時間を求める。
【００１７】
前述のように、実測流量に対応する仮の開時間は、単純に定格流量に対応する開時間を、実測流量に対する定格流量の比により按分して求めている。よって、（定格流量＜実測流量）の場合は、実測流量に対応する仮の開時間は、実測流量に対する定格流量の比の分だけ、定格流量に対応する開時間の場合よりも短くなる。この場合、実測流量と仮の開時間とに基づいて熱源機から暖房端末に熱媒を供給すると、暖房端末に供給される熱媒の供給量が過剰に少なくなり、暖房端末において所望の加熱能力を得ることができない場合がある。
【００１８】
そこで、本特徴構成のように、実測流量に対応する仮の開時間と、定格流量に対応する開時間との平均をとって実測流量に対応する開時間を求めることで、熱媒の供給量の減少により放熱量が過剰に小さくなるのを抑制できる。よって、運転制御部は、暖房端末を所望の加熱能力で運転することができる。
【００１９】
本発明に係る熱源機の更なる特徴構成は、
前記暖房端末についての前記定格流量を受け付ける入力受付部と、
前記加熱部から前記暖房端末に熱媒を供給する流路である一の熱媒往き路と、を備え、
前記実測流量を計測する流量計が、前記熱媒往き路に設けられている点にある。
【００２０】
熱源機内の熱媒往き路に設けた流量計によって、暖房端末に供給される熱媒の実測流量を測定することができる。熱源機内において、入力受付部が定格流量を受け付けるとともに、流量計が実測流量を測定し、補正部が、定格流量及び実測流量を考慮し、定格流量に対応する開閉弁の開時間を補正し、実測流量に対応する開閉弁の開時間を求める。つまり、熱源機内において、定格流量と実測流量とを関連付けて比較し、実測流量に対応する開閉弁の開時間を求めるという処理を完結できる。よって、分散した複数の機能部を関連付ける手間を省き、簡潔な構成にできる。
【００２１】
本発明に係る熱源機の更なる特徴構成は、
前記暖房端末には、第１定格流量が設定され、第１実測流量によって熱媒が供給される第１暖房端末と、第２定格流量が設定され、第２実測流量によって熱媒が供給される第２暖房端末が含まれており、
前記運転制御部が、前記第１暖房端末及び前記第２暖房端末の両方に熱媒を供給しており、
前記第１定格流量と前記第１実測流量とを比較した第１比較値が、前記第２定格流量と前記第２実測流量とを比較した第２比較値よりも小さい場合、
前記補正部は、前記第１定格流量に対応する前記開閉弁の開時間を、前記第１実測流量と前記第１定格流量との比較に基づいて補正し、前記第１実測流量に対応する前記開閉弁の開時間を求め、さらに、前記第２定格流量に対応する前記開閉弁の開時間を、前記第１実測流量と前記第１定格流量との比較に基づいて補正し、前記第２実測流量に対応する前記開閉弁の開時間を求め、
前記運転制御部は、前記第１実測流量と、前記第１実測流量に対応する前記開閉弁の開時間とに基づいて、前記第１暖房端末に熱媒を供給し、前記第２実測流量と、前記第２実測流量に対応する前記開閉弁の開時間とに基づいて、前記第２暖房端末に熱媒を供給する点にある。
【００２２】
実測流量に対応する熱動弁Ｖの開時間ＡＯｐｅｎは、実測流量と定格流量との比較値（流量差分、流量比等）に基づいて、定格流量に対応する熱動弁Ｖの開時間ＲＯｐｅｎを補正することで求められる。よって、実測流量と定格流量との比較値（流量差分、流量比等）が大きいと、実測流量と定格流量との比較値（流量差分、流量比等）が小さい場合に比べて、実測流量に対応する熱動弁Ｖの開時間ＡＯｐｅｎは、定格流量に対応する熱動弁Ｖの開時間ＲＯｐｅｎに対して比較的に大きく補正される。
【００２３】
本特徴構成では、複数の第１及び第２暖房端末が運転される場合、補正部は、第１比較値が第２比較値よりも小さいため（第１比較値＜第２比較値）、第１定格流量に対応する熱動弁の開時間と、第１定格流量と、第１実測流量とに基づいて、第１実測流量に対応する熱動弁の開時間を求める。また、第２定格流量に対応する熱動弁の開時間と、第１定格流量と、第１実測流量とに基づいて、第２実測流量に対応する熱動弁の開時間を求める。
【００２４】
そして、運転制御部は、第１床暖房端末の運転を、第１定格流量と第１実測流量との比較により求めた熱動弁の開時間と、第１実測流量とに基づいて制御する。また、運転制御部は、第２床暖房端末の運転を、第１定格流量と第１実測流量との比較により求めた熱動弁の開時間と、第２実測流量とに基づいて制御する。これにより、第２床暖房端末に概ね過不足なく熱媒を供給できるとともに、第１床暖房端末への熱媒の供給量が不足してしまうのを抑制できる。
【００２５】
本発明に係る熱源機の運転方法の特徴構成は、
熱媒を加熱する加熱部を備え、前記加熱部から少なくとも一の暖房端末に熱媒を供給する熱源機の運転方法であって
前記熱源機は、
熱媒の単位時間当たりの供給量である定格流量に対して設定されている、一サイクル時間における開閉弁の開時間及び閉時間を記憶する記憶部を備え、
前記加熱部から前記暖房端末に供給される熱媒の単位時間当たりの実測流量を取得し、前記暖房端末についての前記定格流量に対応する前記開閉弁の開時間を、前記実測流量と前記定格流量との比較に基づいて補正し、前記実測流量に対応する前記開閉弁の開時間を求め、
前記実測流量と、前記実測流量に対応する前記開閉弁の開時間とに基づいて、前記暖房端末に熱媒を供給する点にある。
【００２６】
本特徴構成によれば、実測流量に基づいて開閉弁の開時間を補正するため、所望の加熱能力に応じた熱媒量を概ね過不足なく暖房端末に供給できる。これにより、過剰な熱媒を供給することを抑制し、省エネを図ることもできる。
【００２７】
本発明に係る暖房システムの特徴構成は、
熱媒を加熱する加熱部を有する熱源機と、前記加熱部から前記熱媒の供給を受ける少なくとも一の暖房端末とを備える暖房システムであって、
熱媒の単位時間当たりの供給量である定格流量に対して設定されている、一サイクル時間における開閉弁の開時間及び閉時間を記憶する記憶部と、
前記加熱部から前記暖房端末に供給される熱媒の単位時間当たりの実測流量を取得し、前記暖房端末についての前記定格流量に対応する前記開閉弁の開時間を、前記実測流量と前記定格流量との比較に基づいて補正し、前記実測流量に対応する前記開閉弁の開時間を求める補正部と、
前記実測流量と、前記実測流量に対応する前記開閉弁の開時間とに基づいて、前記暖房端末に熱媒を供給する運転制御部と、
を備える点にある。
【００２８】
本特徴構成によれば、実測流量に基づいて開閉弁の開時間を補正するため、所望の加熱能力に応じた熱媒量を概ね過不足なく暖房端末に供給できる。これにより、過剰な熱媒を供給することを抑制し、省エネを図ることもできる。
【００２９】
本発明に係る暖房システムの運転方法の特徴構成は、
熱媒を加熱する加熱部を有する熱源機と、前記加熱部から前記熱媒の供給を受ける少なくとも一の暖房端末とを備える暖房システムの運転方法であって、
前記暖房システムは、
熱媒の単位時間当たりの供給量である定格流量に対して設定されている、一サイクル時間における開閉弁の開時間及び閉時間を記憶する記憶部を備え、
前記加熱部から前記暖房端末に供給される熱媒の単位時間当たりの実測流量を取得し、前記暖房端末についての前記定格流量に対応する前記開閉弁の開時間を、前記実測流量と前記定格流量との比較に基づいて補正し、前記実測流量に対応する前記開閉弁の開時間を求め、
前記実測流量と、前記実測流量に対応する前記開閉弁の開時間とに基づいて、前記暖房端末に熱媒を供給する点にある。
【００３０】
本特徴構成によれば、実測流量に基づいて開閉弁の開時間を補正するため、所望の加熱能力に応じた熱媒量を概ね過不足なく暖房端末に供給できる。これにより、過剰な熱媒を供給することを抑制し、省エネを図ることもできる。
【図面の簡単な説明】
【００３１】
【図１】床暖房システムの全体概略構成を示すブロック図である。
【図２】記憶部に記憶されたテーブルの一例である。
【図３】熱動弁の開時間の補正処理の流れを示すフローチャートの一例である。
【図４】記憶部に記憶されたテーブルの一例である。
【図５】記憶部に記憶されたテーブルの一例である。
【発明を実施するための形態】
【００３２】
〔実施形態〕
以下に、本発明の実施形態に係る熱源機１０及び床暖房システム１について説明する。
（１）床暖房システムの構成
図１に示すように、床暖房システム１は、熱媒（これに限定されないが、例えば、水）を加熱する熱源機１０と、熱源機１０から加熱された熱媒の供給を受ける床暖房端末（暖房端末）２０（２０Ａ、２０Ｂ）と、床暖房端末２０への熱媒の供給を断続する熱動弁Ｖ（ＶＡ、ＶＢ）と、床暖房システム１の制御を行う制御部３０と、利用者からの入力を受け付ける操作部４０とを備えている。
【００３３】
床暖房端末２０は、利用者からの操作部４０への入力に基づいて制御される。操作部４０は、例えば、床暖房端末２０による暖房対象空間に設けられており、第１及び第２床暖房端末２０Ａ、２０Ｂそれぞれに対する作動、停止及び温度設定等を利用者から受け付ける。
【００３４】
床暖房端末２０は、暖房対象空間の床材の下方に配置されており、熱源機１０からの加熱された熱媒の通流により加熱作動する。床暖房端末２０は、パネル材２１に熱媒通流管２３が蛇行状に埋入状態で設けられて構成されている。本実施形態では、床暖房端末２０として、定格流量の異なる第１床暖房端末２０Ａと、第２床暖房端末２０Ｂとが熱源機１０に接続されている。例えば、第１床暖房端末２０Ａと第２床暖房端末２０Ｂとは、熱媒が通流するパネル材２１の大きさの違いにより、定格流量がそれぞれ異なっている。各床暖房端末２０Ａ、２０Ｂにおいて、パネル材２１Ａ、２１Ｂ及び熱媒通流管２３Ａ、２３Ｂの構成は同様である。
【００３５】
熱源機１０の後述の熱媒往き路Ｌ１は、第１床暖房端末２０Ａの熱媒通流管２３Ａの入口に接続される第１暖房往き路Ｌ３と、第２床暖房端末２０Ｂの熱媒通流管２３Ｂの入口に接続される第２暖房往き路Ｌ４とに分岐している。そして、第１暖房往き路Ｌ３には熱動弁ＶＡが設けられ、第２暖房往き路Ｌ４には熱動弁ＶＢが設けられている。制御部３０が熱動弁ＶＡ、ＶＢの開閉を制御することにより、第１及び第２床暖房端末２０Ａ、２０Ｂに熱媒が間欠的に供給される。
【００３６】
よって、例えば、制御部３０が熱動弁ＶＡを開弁すると、熱源機１０で加熱された熱媒が、熱媒往き路Ｌ１から第１暖房往き路Ｌ３を介して第１床暖房端末２０Ａに通流される。そして、第１床暖房端末２０Ａにおいて熱媒から熱が放熱され暖房対象空間が暖房される。第２床暖房端末２０Ｂも同様に、熱動弁ＶＢが開弁されると、熱源機１０から第２暖房往き路Ｌ４を介して熱媒が供給され、暖房対象空間が暖房される。第１床暖房端末２０Ａにおける熱媒通流管２３Ａの出口及び第２床暖房端末２０Ｂにおける熱媒通流管２３Ｂの出口は、暖房戻り路Ｌ５に接続されている。そして、第１及び第２床暖房端末２０Ａ、２０Ｂから出た熱媒は、暖房戻り路Ｌ５を介して熱源機１０に戻り、熱媒戻り路Ｌ２と合流する。
【００３７】
熱源機１０は、床暖房端末２０に供給する熱媒を加熱する加熱部Ｈと、熱動弁Ｖの制御及び熱源機１０の制御等を行う制御部３０とを備えている。
【００３８】
加熱部Ｈは、熱媒用バーナｇ及び熱交換器ＥＸを備えている。熱媒用バーナｇには、燃料ガス（例えば、都市ガス１３Ａ）が供給され、燃料ガスを燃焼する。この燃料ガスの燃焼により生じる燃焼排ガスの熱が熱交換器ＥＸに供給される。熱交換器ＥＸの入口には、熱媒戻り路Ｌ２が接続されており、熱交換器ＥＸの出口には、第１及び第２暖房往き路Ｌ３、Ｌ４への分岐点まで延びる熱媒往き路Ｌ１が接続されている。よって、熱媒戻り路Ｌ２に設けられたポンプＰが駆動（所定の一定出力で駆動）されると、熱媒戻り路Ｌ２を介して熱交換器ＥＸに熱媒が供給される。そして、熱交換器ＥＸは、この供給された熱媒と燃焼排ガスの熱との間で熱交換を行い、熱媒を所定の温度に加熱し、熱媒往き路Ｌ１へ排出する。そして、熱交換器ＥＸで加熱された熱媒は、前述の通り、熱媒往き路Ｌ１から第１及び第２暖房往き路Ｌ３、Ｌ４を介して床暖房端末２０Ａ、２０Ｂに供給される。
熱媒往き路Ｌ１には、熱媒往き路Ｌ１を通流する熱媒の流量を測定する流量計Ｓが設けられている。
【００３９】
制御部３０は、床暖房端末２０への操作に対する入力を受け付ける入力受付部３１と、熱源機１０及び熱動弁Ｖを制御するための情報を記憶する記憶部３２と、熱動弁Ｖの開閉時間を補正する補正部３３と、熱動弁Ｖの開閉及び熱源機１０の運転等を制御する運転制御部３４とを備えている。
【００４０】
入力受付部３１は、利用者による操作部４０の操作に基づいて、第１及び第２床暖房端末２０Ａ、２０Ｂそれぞれについての作動、停止及び温度設定等の入力を受け付ける。また、入力受付部３１は、利用者による操作部４０の操作に基づいて、第１及び第２床暖房端末２０Ａ、２０Ｂそれぞれについて、試運転の開始及び定格流量等の入力を受け付ける。
【００４１】
例えば、入力受付部３１は、操作部４０への利用者の操作に基づいて、第１床暖房端末２０Ａについて、試運転の開始を受け付けるとともに、定格流量として１．０Ｌ／ｍｉｎを受け付ける。また、例えば、入力受付部３１は、第２床暖房端末２０Ｂについて、試運転の開始を受け付けるとともに、定格流量として１．５Ｌ／ｍｉｎを受け付ける。なお、入力受付部３１は、試運転を受け付けた場合、試運転の対象の各第１及び第２床暖房端末２０Ａ、２０Ｂに対する定格流量の入力を、例えば操作部４０を通じて利用者に促すように報知してもよい。
【００４２】
記憶部３２は、定格流量と、一サイクル時間における熱動弁Ｖの開時間及び閉時間とを対応づけたテーブルを記憶している。定格流量とは、熱媒の単位時間当たりの供給量である。一サイクル時間とは、開閉弁について１回の開時間と１回の閉時間とから構成される時間である。一サイクル時間は、これに限定されないが、例えば２０分である。
【００４３】
記憶部３２は、一例として、図２（ａ）に示すように、定格流量（１．０Ｌ／ｍｉｎ）と、一サイクル時間における熱動弁Ｖの開閉時間のデューティー比（開時間／閉時間）とを対応づけたテーブルを記憶している。図２（ａ）のテーブルでは、床暖房端末２０の加熱能力に応じて、複数段階の熱動弁Ｖの開閉時間のデューティー比（開時間／閉時間）が対応付けられて記憶されている。例えば、加熱能力として目盛り１〜９が設定されている。そして、定格流量（１．０Ｌ／ｍｉｎ）に対して、目盛り１〜９それぞれについて、熱動弁Ｖの開時間ＲＯｐｅｎ及び閉時間ＲＣｌｏｓｅが対応づけられている。
【００４４】
例えば、図２（ａ）では、一サイクル時間が２０分に設定されており、定格流量（１．０Ｌ／ｍｉｎ）に対して、熱動弁Ｖの開閉時間のデューティー比（開時間ＲＯｐｅｎ／閉時間ＲＣｌｏｓｅ）が、目盛り１〜９まで設定されている。具体的には、目盛り１に「３分／１７分」、目盛り２に「５分／１５分」、目盛り３に「８分／１２分」、目盛り４に「１０分／１０分」、目盛り６に「１２分／８分」、目盛り６に「１４分／６分」、目盛り７に「１６分／４分」、目盛り８に「１８分／２分」、目盛り９に「２０分／０分」が設定されている。
【００４５】
上記では、定格流量（１．０Ｌ／ｍｉｎ）に対する熱動弁Ｖの開閉時間の例を示した。しかし、記憶部３２は、複数の異なる定格流量それぞれに対して、熱動弁Ｖの開閉時間を定義した複数のテーブルを記憶していてもよい。
また、記憶部３２は、熱源機１０の制御のためのプログラム等を記憶している。
【００４６】
入力受付部３１が、第１及び第２床暖房端末２０Ａ、２０Ｂそれぞれについて、試運転の開始及び定格流量等の入力を受け付けると、運転制御部３４は、第１及び第２床暖房端末２０Ａ、２０Ｂそれぞれの運転を開始する。第１及び第２床暖房端末２０Ａ、２０Ｂそれぞれの運転が開始されると、熱媒往き路Ｌ１上の流量計Ｓが作動し、流量計Ｓは、第１及び第２床暖房端末２０Ａ、２０Ｂそれぞれへ供給される熱媒の実測流量を取得する。
【００４７】
例えば、試運転の対象として第１床暖房端末２０Ａが選択された場合を考える。なお、試運転の対象が第２床暖房端末２０Ｂであっても同様の処理が行われる。
入力受付部３１は、第１床暖房端末２０Ａについて試運転の開始を受け付け、定格流量として１．０Ｌ／ｍｉｎの入力を受け付ける。運転制御部３４は、第１床暖房端末２０Ａの運転を開始し、熱動弁ＶＡを開弁する。このとき、熱動弁ＶＢは閉弁されており、第２床暖房端末２０Ｂには熱媒は供給されない。これにより、加熱部Ｈで加熱された熱媒が、熱媒往き路Ｌ１及び第１暖房往き路Ｌ３を介して第１床暖房端末２０Ａに供給される。
【００４８】
この第１床暖房端末２０Ａの試運転の開始時には、運転制御部３４は、入力された定格流量（１．０Ｌ／ｍｉｎ）に対応する熱動弁ＶＡの開閉時間のデューティー比（開時間ＲＯｐｅｎ／閉時間ＲＣｌｏｓｅ）に基づいて熱動弁ＶＡを制御する。このとき、運転制御部３４は、例えば入力受付部３１が受け付けた温度設定、第１床暖房端末２０Ａのパネル材２１Ａの表面温度、定格流量及び第１床暖房端末２０Ａの加熱能力等に基づいて、図２（ａ）のテーブルから例えば目盛り６を選択する。そして、運転制御部３４は、目盛り６に基づいて、１サイクル時間において、熱動弁ＶＡを開時間ＲＯｐｅｎ（１４分）のあいだ開弁し、閉時間ＲＣｌｏｓｅ（６分）のあいだ閉弁する。
【００４９】
このように第１床暖房端末２０Ａの試運転が開始されると、熱媒往き路Ｌ１を熱媒が通流する。流量計Ｓは、熱媒往き路Ｌ１を通流し、第１床暖房端末２０Ａへ供給される熱媒の実測流量を測定する。ここでは、流量計Ｓは、実測流量として１．６８Ｌ／ｍｉｎを取得している。
【００５０】
次に、補正部３３での実測流量に対応する熱動弁Ｖの開時間の算出について説明する。補正部３３は、入力受付部３１から定格流量（１．０Ｌ／ｍｉｎ）を取得する。また、補正部３３は、流量計Ｓから実測流量（１．６８Ｌ／ｍｉｎ）を取得する。なお、定格流量は、例えば、加熱部Ｈから床暖房端末２０に単位時間に供給されることが概ね保証されている熱媒の流量である。例えば、定格流量は、熱動弁Ｖによる熱媒の供給能力等により定めされている。その他、定格流量は、熱源機１０（ポンプＰ）による熱媒の供給能力、熱源機１０、床暖房端末２０及びこれらを接続する流路等の圧力損失等によって定められていてもよい。そして、定格流量は、加熱部Ｈからの熱媒の供給による床暖房端末２０の暖房能力を保証するため、通常は、実測流量よりも少なく設定されている（定格流量＜実測流量）。
【００５１】
補正部３３は、定格流量と実測流量と比較に基づいて、定格流量に対応する熱動弁ＶＡの開時間ＲＯｐｅｎを補正し、実測流量に対応する開時間ＡＯｐｅｎを求める。ここでは、定格流量（１．０Ｌ／ｍｉｎ）の場合に、目盛り６により熱動弁ＶＡの開閉が行われている。よって、補正部３３は、記憶部３２のテーブルを参照し、定格流量（１．０Ｌ／ｍｉｎ）に対応する熱動弁ＶＡの開時間ＲＯｐｅｎ（１４分）を取得する。そして、補正部３３は、開時間ＲＯｐｅｎ（１４分）を、定格流量と実測流量との比較に基づいて補正し、実測流量（１．６８Ｌ／ｍｉｎ）に対応する開時間ＡＯｐｅｎを取得する。
なお、定格流量に対応する熱動弁ＶＡの開時間ＲＯｐｅｎを補正し、実測流量に対する開時間ＡＯｐｅｎを求める際において、熱媒の温度は概ね一定とする。
【００５２】
ここで、前述の通り、（定格流量＜実測流量）の関係にある。そのため、熱動弁ＶＡが定格流量に対応する開時間ＲＯｐｅｎで開弁され、実測流量により第１床暖房端末２０Ａに供給される熱媒は、熱動弁ＶＡが定格流量に対応する開時間ＲＯｐｅｎで開弁され、定格流量により第１床暖房端末２０Ａに供給される熱媒よりも多い。
【００５３】
つまり、定格流量に基づいて定められた開閉弁の開時間ＲＯｐｅｎが用いられたままで、第１床暖房端末２０Ａが運転されて熱源機１０から床暖房端末２０に実測流量により熱媒が供給されると、床暖房端末２０には過剰に熱媒が供給されてしまう。第１床暖房端末２０Ａには、例えば、（実測流量−定格流量）×開時間ＲＯｐｅｎ分に相当する熱媒が過剰に供給される。
【００５４】
例えば、図２（ａ）のテーブルにおいて、目盛り６では、定格流量（１．０Ｌ／ｍｉｎ）において熱動弁ＶＡの開時間ＲＯｐｅｎが１４分及び閉時間ＲＣｌｏｓｅが６分である。この場合、１サイクル時間が経過した場合、定格流量（１．０Ｌ／ｍｉｎ）及び熱動弁ＶＡの開時間ＲＯｐｅｎが１４分で熱媒が供給されていると仮定すると、第１床暖房端末２０Ａには、定格流量（１．０Ｌ／ｍｉｎ）×開時間ＲＯｐｅｎ（１４分）＝１４Ｌの熱媒が供給される。
一方、実測流量（１．６８Ｌ／ｍｉｎ）及び熱動弁ＶＡの開時間ＲＯｐｅｎが１４分で熱媒が供給されていると仮定すると、第１床暖房端末２０Ａには、実測流量（１．６８Ｌ／ｍｉｎ）×開時間ＲＯｐｅｎ（１４分）＝２３．５２Ｌの熱媒が供給される。
【００５５】
よって、定格流量（１．０Ｌ／ｍｉｎ）に対応する熱動弁ＶＡの開時間ＲＯｐｅｎ（１４分）を、実測流量（１．６８Ｌ／ｍｉｎ）の場合においてもそのまま用いると、実測流量（１．６８Ｌ／ｍｉｎ）により第１床暖房端末２０Ａに供給される熱媒（２３．５２Ｌ）は、定格流量により第１床暖房端末２０Ａに供給される熱媒（１４Ｌ）よりも９．５２Ｌ多い。よって、（定格流量＜実測流量）であるため、定格流量で熱媒を供給する場合に比べて、実測流量で熱媒を供給する場合には、第１床暖房端末２０Ａに過剰の熱媒が供給される。
【００５６】
よって、定格流量が実測流量より少ない場合（定格流量＜実測流量）に熱媒の過剰供給を抑制するには、実測流量に対応する開閉弁の開時間ＡＯｐｅｎは、定格流量に対応する開閉弁の開時間ＲＯｐｅｎよりも少なくする必要がある（ＡＯｐｅｎ＜ＲＯｐｅｎ）。
【００５７】
そこで、補正部３３は、定格流量に対応する熱動弁ＶＡの開時間ＲＯｐｅｎを減らす補正を行うことで、実測流量に対応する熱動弁ＶＡの開時間ＡＯｐｅｎを求める。そして、運転制御部３４は、一サイクル時間において、実測流量に対応する熱動弁ＶＡの開時間ＡＯｐｅｎのあいだ、実測流量に基づいて熱媒を熱源機１０から概ね過不足なく供給できる。よって、床暖房端末２０に過剰な熱媒を供給するのを抑制できるため、省エネを図ることができる。
【００５８】
例えば、補正部３３は、定格流量に対応する熱動弁ＶＡの開時間ＲＯｐｅｎを、実測流量に対する定格流量の比（定格流量／実測流量）に基づいて補正し、実測流量に対応する開閉弁の開時間ＡＯｐｅｎを求める。この場合、補正部３３は、定格流量に対応する開時間ＲＯｐｅｎ（１４分）を、定格流量（１．０Ｌ／ｍｉｎ）／実測流量（１．６８Ｌ／ｍｉｎ）に基づいて補正し、実測流量に対応する開時間ＡＯｐｅｎ（８．３分）を求める。具体的には、下記式１により実側流量に対応する開時間ＡＯｐｅｎを求める。
（式１）ＡＯｐｅｎ＝（ＲＯｐｅｎ×（定格流量／実測流量））
この方法によれば、実測流量に対応する開時間ＡＯｐｅｎは、定格流量に対応する開時間ＲＯｐｅｎを、実測流量に対する定格流量の比により按分して容易に求めることができる。
【００５９】
また、例えば、補正部３３は、実測流量に対応する熱動弁ＶＡの開時間ＡＯｐｅｎを下記式２により求めることができる。
（式２）ＡＯｐｅｎ＝（ＲＯｐｅｎ＋（ＲＯｐｅｎ×（定格流量／実測流量）））／２
【００６０】
補正部３３は、（ＲＯｐｅｎ×（定格流量／実測流量））を算出することで、定格流量に対応する開時間ＲＯｐｅｎを、実測流量に対する定格流量の比により按分して、実測流量に対応する仮の開時間ＰＯｐｅｎである（ＲＯｐｅｎ×（定格流量／実測流量））を求める。さらに、補正部３３は、上記数式により、この実測流量に対応する仮の開時間ＰＯｐｅｎと、定格流量に対応する開時間ＲＯｐｅｎとの平均をとることで、実測流量に対応する開時間ＡＯｐｅｎを求める。
【００６１】
前述のように、実測流量に対応する仮の開時間ＰＯｐｅｎは、単純に定格流量に対応する開時間ＲＯｐｅｎを、実測流量に対する定格流量の比により按分して求めている。よって、実測流量に対応する仮の開時間ＰＯｐｅｎは、実測流量に対する定格流量の比の分だけ、定格流量に対応する開時間の場合よりも短くなる。この場合、実測流量と仮の開時間ＰＯｐｅｎとに基づいて熱源機１０から床暖房端末２０に熱媒を供給すると、床暖房端末２０に供給される熱媒の供給量が過剰に少なくなる傾向にあり、床暖房端末２０において所望の加熱能力を得ることができない。
【００６２】
そこで、上記式の通り、実測流量に対応する仮の開時間ＰＯｐｅｎと、定格流量に対応する開時間ＲＯｐｅｎとの平均をとって、実測流量に対応する開時間ＡＯｐｅｎを求めることで、熱媒の供給量の減少により放熱量が過剰に小さくなるのを抑制できる。よって、床暖房端末２０が所望の加熱能力で運転される。
なお、実測流量に対応する閉時間ＡＣｌｏｓｅは、一サイクル時間（２０分）から実測流量に対応する開時間ＡＯｐｅｎを差し引くことで求められる。
【００６３】
具体的に目盛り６の場合について、定格流量に対応する開時間ＡＯｐｅｎ（１４分）、定格流量（１．０Ｌ／ｍｉｎ）、実測流量（１．６８Ｌ／ｍｉｎ）から、式２により実測流量に対応する開時間ＡＯｐｅｎを算出すると次の通りである。
（式）１１分＝
（１４分＋（１４分×（１．０Ｌ／ｍｉｎ）／（１．６８Ｌ／ｍｉｎ）））／２
また、補正部３３は、一サイクル時間（２０分）から実測流量に対応する開時間ＡＯｐｅｎ（１１分）を差し引くことで、実測流量に対応する閉時間ＡＣｌｏｓｅ（９分）を求める。
【００６４】
運転制御部３４は、補正部３３が上記の通り算出した実測流量に対応する熱動弁ＶＡの開時間ＡＯｐｅｎと、実測流量とに基づいて、第１床暖房端末２０Ａに熱媒を供給する。つまり、目盛り６の場合、運転制御部３４は、１サイクル時間（２０分）において、熱動弁ＶＡを１１分のあいだ開弁し、実測流量（１．６８Ｌ／ｍｉｎ）で熱源機１０から第１床暖房端末２０Ａに熱媒を供給する。また、運転制御部３４は、１サイクル時間（２０分）において、熱動弁ＶＡを９分のあいだ閉弁する。
【００６５】
補正部３３は、上記式２を用いて、同様の手順で目盛り１〜９について、実測流量に対応する熱動弁ＶＡの開時間ＡＯｐｅｎ及び閉時間ＡＣｌｏｓｅを算出する。記憶部３２は、補正部３３での算出結果を図２（ｂ）に示すように記憶する。
【００６６】
運転制御部３４が、図２（ｂ）に示す実測流量に対応する熱動弁ＶＡの開時間と、実測流量とに基づいて、第１床暖房端末２０Ａに熱媒を供給することで、所望の加熱能力に応じた熱媒量を第１床暖房端末２０Ａに概ね過不足なく供給できる。
【００６７】
なお、前述の通り、各床暖房端末２０に供給される熱媒の実測流量を測定する流量計Ｓは、熱源機１０内の熱媒往き路Ｌ１に設けられている。よって、熱源機１０内において、入力受付部３１が各床暖房端末２０の定格流量を受け付けるとともに、流量計Ｓが各床暖房端末２０の実測流量を測定し、補正部３３が、定格流量及び実測流量を考慮し、定格流量に対応する熱動弁Ｖの開時間ＲＯｐｅｎを補正し、実測流量に対応する熱動弁Ｖの開時間ＡＯｐｅｎを求める。つまり、熱源機１０内において、定格流量と実測流量とを関連付けて比較し、実測流量に対応する熱動弁Ｖの開時間ＡＯｐｅｎを求めるという処理を完結できる。よって、分散した複数の機能部を関連付ける手間を省き、簡潔な構成にできる。
なお、補正部３３は、定格流量と実測流量との流量差分に基づいて、定格流量に対応する熱動弁ＶＡの開時間ＲＯｐｅｎを補正し、実測流量に対応する開時間ＡＯｐｅｎを求めてもよい。
【００６８】
（２）熱動弁Ｖの開時間の補正処理の流れ
次に、床暖房システム１における、定格流量に対応する熱動弁Ｖの開時間ＲＯｐｅｎを補正し、実測流量に対応する熱動弁Ｖの開時間ＡＯｐｅｎを求める補正処理について図３を用いて説明する。
【００６９】
ステップＳ１：入力受付部３１は、操作部４０への利用者の操作に基づいて、床暖房端末２０Ａ、２０Ｂのいずれかについて、試運転の開始を受け付けると（ステップＳ１においてＹｅｓ）、ステップＳ２に処理を進める。そうでない場合（ステップＳ１においてＮｏ）は、入力受付部３１は待機する。
ステップＳ２：入力受付部３１は、操作部４０への利用者の操作に基づいて、試運転の対象として選択された床暖房端末２０について、定格流量を受け付ける。補正部３３は、入力受付部３１から、選択された床暖房端末２０に対する定格流量を取得する。
【００７０】
ステップＳ３：運転制御部３４は、試運転の開始時には、入力された定格流量に対応する熱動弁Ｖの開閉時間のデューティー比（開時間ＲＯｐｅｎ／閉時間ＲＣｌｏｓｅ）に基づいて、選択された床暖房端末２０に対応する熱動弁Ｖを制御する。
ステップＳ４：流量計Ｓは、熱媒往き路Ｌ１を通流し、選択された床暖房端末２０へ供給される熱媒の実測流量を測定する。補正部３３は、流量計Ｓから、選択された床暖房端末２０に対する実測流量を取得する。
【００７１】
ステップＳ５：補正部３３は、定格流量と実測流量との流量差分を求める。補正部３３は、流量差分が閾値以上の場合には、定格流量に対応する熱動弁Ｖの開時間ＲＯｐｅｎを補正すると判断し（ステップＳ５においてＹｅｓ）、ステップＳ６に処理を進める。補正部３３は、閾値以上の流量差分がない場合には、定格流量に対応する熱動弁Ｖの開時間ＲＯｐｅｎを補正しないと判断し（ステップＳ５においてＮｏ）、ステップＳ８に処理を進める。
【００７２】
なお、上記では、定格流量及び実測流量間の流量差分と閾値とを比較することで、熱動弁Ｖの開時間ＲＯｐｅｎを補正するか否かを判断している。しかし、流量差分を閾値と比較せず、単に定格流量と実測流量との流量差分があるか否かにより、選択された床暖房端末２０における定格流量に対応する熱動弁Ｖの開時間ＲＯｐｅｎを補正するか否かを判断してもよい。
【００７３】
なお、補正部３３は、定格流量に対応する熱動弁ＶＡの開時間ＲＯｐｅｎを補正しない場合には、定格流量に対応する熱動弁ＶＡの開時間ＲＯｐｅｎを、実測流量に対応する開時間ＡＯｐｅｎとする。
【００７４】
ステップＳ６：補正部３３は、定格流量と実測流量とに基づいて、定格流量に対応する熱動弁ＶＡの開時間ＲＯｐｅｎを補正し、実測流量に対応する開時間ＡＯｐｅｎを求める。
ステップＳ７：運転制御部３４は、選択された床暖房端末２０の実測流量と、補正部３３が求めた実測流量に対応する熱動弁Ｖの開時間ＡＯｐｅｎとに基づいて、選択された床暖房端末２０に熱媒を供給する。
【００７５】
ステップＳ８：運転制御部３４は、選択された床暖房端末２０の実測流量と、実測流量に対応する熱動弁Ｖの開時間ＡＯｐｅｎとに基づいて、選択された床暖房端末２０に熱媒を供給する。
ここで、上述の通り、定格流量に対応する開時間ＲＯｐｅｎを補正せずに実測流量に対応する熱動弁Ｖの開時間ＡＯｐｅｎとした場合（ステップＳ５においてＮｏ）には、当該実測流量に対応する開時間ＡＯｐｅｎは定格流量に対応する開時間ＲＯｐｅｎと同じである。
【００７６】
ステップＳ９：入力受付部３１が選択された床暖房端末２０の運転停止を受け付けると（ステップＳ９においてＹｅｓ）、運転制御部３４は、選択された床暖房端末２０の運転を停止する。そうでない場合は（ステップＳ９においてＮｏ）、運転制御部３４は、選択された床暖房端末２０の運転を継続する。
【００７７】
〔他の実施形態〕
（１）上記実施形態では、一の床暖房端末のみが選択されて運転される場合について説明した。しかし、複数の床暖房端末２０が運転され、それらの運転時間が重複していてもよい。この場合の熱動弁Ｖの開時間の補正処理について以下に説明する。
熱動弁Ｖの開時間の補正処理の方法として、一例であるが、以下に２つの方法を例に挙げて説明する。
【００７８】
（１−１）第１の方法
第１の方法では、例えば、記憶部３２は、複数の床暖房端末２０に共通の開時間のテーブルを記憶している。以下に、複数の床暖房端末２０を第１の方法により運転する場合について説明する。
【００７９】
図１において、試運転ではない通常運転の対象として、第１及び第２床暖房端末２０Ａ、２０Ｂの両方が選択されたとする。なお、試運転時において、入力受付部３１は、第１床暖房端末２０Ａの第１定格流量として１．０Ｌ／ｍｉｎを受け付け、第２床暖房端末２０Ｂの第２定格流量として１．５Ｌ／ｍｉｎを受け付けて、記憶部３２に記憶している。
【００８０】
また、記憶部３２は、図４に示すように、定格流量（１．０Ｌ／ｍｉｎ）及び定格流量（１．５Ｌ／ｍｉｎ）に共通の開時間テーブルを記憶している。図４（ａ）では、定格流量（１．０Ｌ／ｍｉｎ）及び定格流量（１．５Ｌ／ｍｉｎ）と、一サイクル時間における熱動弁Ｖの開閉時間のデューティー比（開時間／閉時間）とを対応づけたテーブルを記憶している。
【００８１】
また、試運転時において、流量計Ｓは、第１床暖房端末２０Ａの第１実測流量として１．６８Ｌ／ｍｉｎを取得し、第２床暖房端末２０Ｂの第２実測流量として２．３２Ｌ／ｍｉｎを取得している。
【００８２】
このように定格流量が異なる２つの第１及び第２床暖房端末２０Ａ及び２０Ｂが運転される場合、補正部３３は、２つの床暖房端末２０Ａ及び２０Ｂのうち、定格流量と実測流量との流量差分が小さいものに着目する。そして、流量差分が小さい床暖房端末２０の定格流量に対応する開時間を補正することで、実測流量に対応する開時間を求める。そして、補正により求めた開時間を、定格流量が異なる２つの第１及び第２床暖房端末２０Ａ及び２０Ｂのいずれの運転にも用いる。具体的に以下に説明する。
【００８３】
補正部３３は、第１定格流量と第１実測流量との流量差分である第１流量差分と、第２定格流量と第２実測流量との流量差分である第２流量差分とを比較する。つまり、第１定格流量（１．０Ｌ／ｍｉｎ）と第１実測流量（１．６８Ｌ／ｍｉｎ）との流量差分である第１流量差分（０．６８Ｌ／ｍｉｎ）と、第２定格流量（１．５Ｌ／ｍｉｎ）と第２実測流量（２．３２Ｌ／ｍｉｎ）との流量差分である第２流量差分（０．８２Ｌ／ｍｉｎ）とが比較される。補正部３３は、比較の結果、第１流量差分（０．６８Ｌ／ｍｉｎ）が、第２流量差分（０．８２Ｌ／ｍｉｎ）よりも小さいと判断する。
【００８４】
そして、補正部３３は、第１定格流量（１．０Ｌ／ｍｉｎ）に対応する熱動弁ＶＡの開時間を、第１実測流量（１．６８Ｌ／ｍｉｎ）と第１定格流量（１．０Ｌ／ｍｉｎ）との比較に基づいて補正し、熱動弁ＶＡの開時間ＡＯｐｅｎを求める。
同様に、補正部３３は、第２定格流量（１．５Ｌ／ｍｉｎ）に対応する熱動弁ＶＡの開時間を、第１実測流量（１．６８Ｌ／ｍｉｎ）と第１定格流量（１．０Ｌ／ｍｉｎ）との比較に基づいて補正し、熱動弁ＶＡの開時間ＡＯｐｅｎを求める。
【００８５】
つまり、補正部３３は、第１実測流量（１．６８Ｌ／ｍｉｎ）に対応する熱動弁ＶＡの開時間ＡＯｐｅｎを、第１実測流量（１．６８Ｌ／ｍｉｎ）と第１定格流量（１．０Ｌ／ｍｉｎ）との比較に基づいて求める。さらに、補正部３３は、第２実測流量（２．３２Ｌ／ｍｉｎ）に対応する熱動弁ＶＡの開時間ＡＯｐｅｎについても、第１実測流量（１．６８Ｌ／ｍｉｎ）と第１定格流量（１．０Ｌ／ｍｉｎ）との比較に基づいて求める。
【００８６】
このように、補正部３３は、定格流量と実測流量との流量差分が小さい方に着目し、流量差分が小さい定格流量に対応する開時間ＲＯｐｅｎを補正することで、実測流量に対応する開時間ＡＯｐｅｎを求める。この補正結果が、図４（ｂ）のテーブルに示す、実測流量に対応する熱動弁ＶＡの開時間ＡＯｐｅｎ及び閉時間ＡＣｌｏｓｅである。図４（ｂ）のテーブルでは、定格流量の異なる２つの第１及び第２床暖房端末２０Ａ、２０Ｂについて、共通の開時間ＡＯｐｅｎ及び閉時間ＡＣｌｏｓｅが記憶されている。
【００８７】
なお、図４（ａ）では、定格流量（１．０Ｌ／ｍｉｎ）及び定格流量（１．５Ｌ／ｍｉｎ）の両方において、熱動弁Ｖの開時間ＲＯｐｅｎが同じである。よって、図４（ｂ）では、第１実測流量（１．６８Ｌ／ｍｉｎ）及び第２実測流量（２．３２Ｌ／ｍｉｎ）の両方において、熱動弁Ｖの開時間ＡＯｐｅｎが同じ値として算出されている。
【００８８】
第１及び第２床暖房端末２０Ａ、２０Ｂが運転される際には、記憶部３２の目盛りのうち、例えば２つの第１及び第２床暖房端末２０Ａ、２０Ｂに共通の目盛りが選択されてもよい。
あるいは、記憶部３２の目盛りのうち、各第１及び第２床暖房端末２０Ａ、２０Ｂそれぞれに対して異なる目盛りが選択されてもよい。
【００８９】
例えば、記憶部３２の目盛りのうち、２つの第１及び第２床暖房端末２０Ａ、２０Ｂに対して共通の目盛り７が選択されているとする。
運転制御部３４は、目盛り７に基づいて、熱動弁ＶＡの開時間ＡＯｐｅｎとして１３分を取得する。運転制御部３４は、第１実測流量（１．６８Ｌ／ｍｉｎ）と、熱動弁ＶＡの開時間ＡＯｐｅｎ（１３分）と、に基づいて、第１床暖房端末２０Ａに熱媒を供給する。また、運転制御部３４は、第２実測流量（２．３２Ｌ／ｍｉｎ）と、熱動弁ＶＡの開時間ＡＯｐｅｎ（１３分）とに基づいて、第２床暖房端末２０Ｂに熱媒を供給する。
【００９０】
例えば、記憶部３２の目盛りのうち、第１床暖房端末２０Ａに対して目盛り２が選択され、第２床暖房端末２０Ｂに目盛り７が選択されているとする。
運転制御部３４は、目盛り２に基づいて、第１実測流量（１．６８Ｌ／ｍｉｎ）に対応して算出された、熱動弁ＶＡの開時間ＡＯｐｅｎとして２分を取得する。運転制御部３４は、第１実測流量（１．６８Ｌ／ｍｉｎ）と、熱動弁ＶＡの開時間ＡＯｐｅｎ（２分）と、に基づいて、第１床暖房端末２０Ａに熱媒を供給する。
また、運転制御部３４は、目盛り７に基づいて、第１実測流量（１．６８Ｌ／ｍｉｎ）に対応して算出された、熱動弁ＶＡの開時間ＡＯｐｅｎとして１３分を取得する。運転制御部３４は、第２実測流量（２．３２Ｌ／ｍｉｎ）と、熱動弁ＶＡの開時間ＡＯｐｅｎ（１３分）とに基づいて、第２床暖房端末２０Ｂに熱媒を供給する。
【００９１】
なお、上記では、２つの第１床暖房端末２０Ａにおける実測流量及び定格流量間の流量差分と、第２床暖房端末２０Ｂにおける実測流量及び定格流量間の流量差分とを比較して、流量差分の小さいものに基づいて、熱動弁ＶＡの開時間ＡＯｐｅｎを求めている。しかし、２つの第１床暖房端末２０Ａにおける実測流量及び定格流量間の比と、第２床暖房端末２０Ｂにおける実測流量及び定格流量間の比とを比較して、比の小さいものに基づいて、熱動弁ＶＡの開時間ＡＯｐｅｎを求めてもよい。
【００９２】
ここで、実測流量に対応する熱動弁Ｖの開時間ＡＯｐｅｎは、実測流量と定格流量との比較値（流量差分、流量比等）に基づいて、定格流量に対応する熱動弁Ｖの開時間ＲＯｐｅｎを補正することで求められる。よって、実測流量と定格流量との比較値（流量差分、流量比等）が大きいと、実測流量と定格流量との比較値（流量差分、流量比等）が小さい場合に比べて、実測流量に対応する熱動弁Ｖの開時間ＡＯｐｅｎは、定格流量に対応する熱動弁Ｖの開時間ＲＯｐｅｎに対して比較的に大きく補正される。
【００９３】
例えば、各床暖房端末２０Ａ、２０Ｂについて、実測流量に対応する開時間は、定格流量に対応する開時間に基づいて次のように求められる。第１実測流量に対応する熱動弁ＶＡの開時間ＡＯｐｅｎは、第１実測流量と第１定格流量との比に基づいて、第１定格流量に対応する熱動弁ＶＡの開時間ＲＯｐｅｎを補正することで求められる。同様に、第２実測流量に対応する熱動弁ＶＢの開時間ＡＯｐｅｎは、第２実測流量と第２定格流量との比に基づいて、第２定格流量に対応する熱動弁ＶＢの開時間ＲＯｐｅｎを補正することで求められる。
【００９４】
ここで、例えば、第２比較値（例えば、第２実測流量と第２定格流量との流量差分、流量比等）が、第１比較値（例えば、第１実測流量と第１定格流量との流量差分、流量比等）よりも大きいと、第２定格流量に対応する熱動弁ＶＢの開時間ＲＯｐｅｎの補正量は、第１定格流量に対応する熱動弁ＶＡの開時間ＲＯｐｅｎの補正量よりも大きくなる傾向にある。この場合、第１床暖房端末２０Ａの運転が、第２実測流量に対応する熱動弁ＶＢの開時間ＡＯｐｅｎ（第２定格流量に対応する熱動弁ＶＢの開時間ＲＯｐｅｎが比較的に大きく補正されて算出された開時間）に基づいて制御されると、第１床暖房端末２０Ａへの熱媒の供給量が不足してしまう場合がある。
【００９５】
上記では、複数の第１及び第２床暖房端末２０Ａ、２０Ｂが運転される場合、補正部３３は、第１比較値（流量差分、流量比等）が第２比較値（流量差分、流量比等）よりも小さいため（第１比較値＜第２比較値）、第１定格流量に対応する熱動弁ＶＡの開時間ＲＯｐｅｎと、第１定格流量と、第１実測流量とに基づいて、第１実測流量に対応する熱動弁ＶＡの開時間ＡＯｐｅｎを求める。また、第２定格流量に対応する熱動弁ＶＡの開時間ＲＯｐｅｎと、第１定格流量と、第１実測流量とに基づいて、第２実測流量に対応する熱動弁ＶＡの開時間ＡＯｐｅｎを求める。
【００９６】
そして、運転制御部３４は、第１床暖房端末２０Ａの運転を、第１定格流量と第１実測流量との比較により求めた熱動弁ＶＡの開時間ＡＯｐｅｎと、第１実測流量とに基づいて制御する。また、運転制御部３４は、第２床暖房端末２０Ｂの運転を、第１定格流量と第１実測流量との比較により求めた熱動弁ＶＡの開時間ＡＯｐｅｎと、第２実測流量とに基づいて制御する。これにより、第２床暖房端末２０Ｂに概ね過不足なく熱媒を供給できるとともに、第１床暖房端末２０Ａへの熱媒の供給量が不足してしまうのを抑制できる。
【００９７】
（１−２）第２の方法
第２の方法では、例えば、記憶部３２は、複数の床暖房端末２０それぞれについて異なる開時間のテーブルを記憶している。以下に、複数の床暖房端末２０を第２の方法により運転する場合について説明する。
【００９８】
第１の方法と異なり、補正部３３は、第１実測流量（１．６８Ｌ／ｍｉｎ）に対応する熱動弁ＶＡの開時間ＡＯｐｅｎと、第２実測流量（２．３２Ｌ／ｍｉｎ）に対応する熱動弁ＶＢの開時間ＡＯｐｅｎとをそれぞれ求めてもよい。ここで、第１実測流量（１．６８Ｌ／ｍｉｎ）に対応する熱動弁ＶＡの開時間ＡＯｐｅｎは、図２（ｂ）のテーブルに示されている。
【００９９】
補正部３３は、第２実測流量に対応する熱動弁ＶＡの開時間ＡＯｐｅｎを、上記実施形態の式２に基づいて算出する。図５（ａ）には、第２定格流量（１．５Ｌ／ｍｉｎ）に対応する熱動弁ＶＡの開時間ＡＯｐｅｎ及び閉時間ＡＣｌｏｓｅが定義されたテーブルが示されている。第２実測流量（２．３２Ｌ／ｍｉｎ）に対応する熱動弁ＶＡの開時間ＡＯｐｅｎ及び閉時間ＡＣｌｏｓｅは、第２定格流量（１．５Ｌ／ｍｉｎ）に対応する熱動弁ＶＡの開時間ＲＯｐｅｎ及び閉時間ＲＣｌｏｓｅが式２により補正されることで求められる。求められた第２実測流量（２．３２Ｌ／ｍｉｎ）に対応する熱動弁ＶＡの開時間ＡＯｐｅｎ及び閉時間ＡＣｌｏｓｅは、図４（ｂ）のテーブルに示されている。
【０１００】
運転制御部３４は、第１床暖房端末２０Ａの運転を、第１実測流量に対応する熱動弁ＶＡの開時間ＡＯｐｅｎと、第１実測流量とに基づいて制御する。また、運転制御部３４は、第２床暖房端末２０Ｂの運転を、第２実測流量に対応する熱動弁ＶＢの開時間ＡＯｐｅｎと、第２実測流量とに基づいて制御する。これにより、第１及び第２床暖房端末２０Ａ、２０Ｂに概ね過不足なく熱媒を供給できる。
【０１０１】
（２）上記実施形態では、制御部３０が熱源機１０に備えられている。しかし、制御部３０は、熱源機１０の外部に設けられていてもよい。例えば、床暖房システム１が、熱源機１０とは別途に、熱源機１０、熱動弁ＶＡ、ＶＢ及び操作部４０等と通信可能である制御部３０を備えていてもよい。また、制御部３０の機能の一部が熱源機１０に設けられ、残りの一部が熱源機１０の外部に設けられていてもよい。
【０１０２】
（３）上記実施形態では、流量計Ｓは、熱源機１０内の熱媒往き路Ｌ１に設けられている。しかし、流量計Ｓは、熱源機１０の外部において、床暖房端末２０（２０Ａ、２０Ｂ）それぞれに設けられていてもよい。例えば、床暖房端末２０Ａでの熱媒の実測流量を測定するための流量計ＳＡが第１暖房往き路Ｌ３に設けられ、床暖房端末２０Ｂの熱媒の実測流量を測定するための流量計ＳＢが第２暖房往き路Ｌ４に設けられていてもよい。これにより、各床暖房端末２０Ａ，２０Ｂに供給される熱媒の量を、各流量計ＳＡ、ＡＢそれぞれにより測定できる。
【０１０３】
（４）上記実施形態の暖房システムでは、試運転において、床暖房端末２０に対応する熱動弁Ｖの開閉時間を、実測流量に基づいて補正している。この場合、例えば、床暖房端末２０が試運転において合格せず、試運転が再度行われるなど、試運転が複数回行われる場合がある。この場合には、試運転の度に、上記処理が行われ、実測流量に基づいた熱動弁Ｖの開閉時間が求められてもよい。
【０１０４】
さらには、実測流量に基づいた熱動弁Ｖの開閉時間の算出は、試運転時に限られず、試運転以外の通常運転等の場合にも行うことができる。つまり、通常運転においても、床暖房端末２０が運転される度に、上記処理が行われ、実測流量に基づいた熱動弁Ｖの開閉時間の補正が行われてもよい。
【０１０５】
なお、上記処理は、試運転の度及び通常運転の度等に行われる必要は無く、最初の試運転の際及び最初の通常運転の際に一度行われ、実測流量に対応する熱動弁Ｖの開閉時間が記憶部３２に記憶されていてもよい。
【０１０６】
（５）上記実施形態では、記憶部３２は、図２（ａ）に示すように、加熱能力ごとに、１．０Ｌ／ｍｉｎの定格流量と、一サイクル時間における熱動弁Ｖの開時間及び閉時間とを対応づけたテーブルを記憶している。しかし、記憶部３２は、加熱能力ごとに定格流量と熱動弁の開閉時間とを関係づけた関係式を記憶してもよい。運転制御部３４は、加熱能力に応じて関係式から開時間及び閉時間を算出し、算出結果に基づいて熱動弁Ｖを制御してもよい。
【０１０７】
また、上記実施形態では、記憶部３２は、図２（ｂ）に示すように、加熱能力ごとに、実測流量に対する熱動弁Ｖの開閉時間を算出したテーブルを記憶している。しかし、記憶部３２は、定格流量に対する熱動弁Ｖの開閉時間と、実測流量に対する熱動弁Ｖの開閉時間とを対応付けた関係式を記憶してもよい。
【０１０８】
（６）上記実施形態では、補正部３３は、定格流量に対応する熱動弁Ｖの開時間を、定格流量と実測流量との流量差分に基づいて補正し、実測流量に対応する熱動弁Ｖの開時間を算出している。そして、１サイクル時間から、実測流量に対応する熱動弁Ｖの開時間を差し引くことで、実測流量に対応する熱動弁Ｖの閉時間が算出される。
【０１０９】
しかし、補正部３３は、定格流量に対応する熱動弁Ｖの閉時間を、定格流量と実測流量とに基づいて補正し、実測流量に対応する熱動弁Ｖの閉時間を算出してもよい。そして、１サイクル時間から、実測流量に対応する熱動弁Ｖの閉時間を差し引くことで、実測流量に対応する熱動弁Ｖの開時間が算出されてもよい。
【０１１０】
（７）上記実施形態では、実測流量が定格流量よりも多い場合について、補正部３３は、定格流量に対応する熱動弁Ｖの開時間を、実測流量と定格流量とに基づいて補正し、実測流量に対応する熱動弁Ｖの開時間を算出する。この場合、実測流量に対応する熱動弁Ｖの開時間は、定格流量に対応する熱動弁Ｖの開時間よりも短くなる。これにより、床暖房端末２０の所望の加熱能力に応じた熱媒量を過剰供給を抑制できる。
【０１１１】
しかし、逆に、定格流量が実測流量よりも多い場合には、実測流量と、定格流量に対応する熱動弁Ｖの開時間ＡＯｐｅｎとを用いて、加熱部Ｈから床暖房端末２０に熱媒が供給されると、床暖房端末２０に供給される熱媒が不足してしまう。そこで、補正部３３は、前述と同様であるが、定格流量が実測流量よりも多い場合にも、定格流量に対応する熱動弁Ｖの開時間ＡＯｐｅｎを、実測流量と定格流量とに基づいて補正し、実測流量に対応する熱動弁Ｖの開時間を算出する。この場合、実測流量に対応する熱動弁Ｖの開時間は、定格流量に対応する熱動弁Ｖの開時間よりも長くなる。これにより、床暖房端末２０に所望の加熱能力に応じた熱媒量を概ね不足なく供給できる。
【０１１２】
（８）上記実施形態の床暖房システム１では、暖房端末として２台の床暖房端末２０Ａ、２０Ｂが含まれるが、床暖房端末２０は１台であってもよく、３台以上であってもよい。また、暖房端末として複数台の床暖房端末である場合、複数台の床暖房端末それぞれの定格流量は同一であってもよく、異なっていてもよい。実測流量についても同一であってもよく、異なっていてもよい。
【０１１３】
さらに、上記実施形態では、暖房端末として床暖房端末２０を例に挙げたが、暖房端末としてはこれに限定されない。例えば、暖房端末としては、浴室乾燥機等であってもよい。また、複数の暖房端末として異なる種類の装置が用いられてもよい。例えば、暖房端末として、床暖房端末及び浴室乾燥機等が用いられてもよい。
【０１１４】
（９）上記実施形態では、熱動弁Ｖを用いているが、流路の開閉を行うことができる弁であればこれに限定されない。例えば、電気信号により開閉する電磁弁等の開閉弁が用いられてもよい。
【０１１５】
（１０）上記実施形態では、ポンプＰは熱媒戻り路Ｌ２に設けられているが、ポンプＰにより床暖房システム１において熱媒を循環できればよく、設置位置は熱媒戻り路Ｌ２に限定されない。例えば、ポンプＰは、熱媒往き路Ｌ１に設けられていてもよい。
【０１１６】
なお上述の実施形態（他の実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【０１１７】
１０        ：熱源機
２０        ：床暖房端末
３２        ：記憶部
３３        ：補正部
３４        ：運転制御部
Ｈ          ：加熱部
Ｖ          ：熱動弁
【図１】
2019152401.tif 000003
【図２】
2019152401.tif 000004
【図３】
2019152401.tif 000005
【図４】
2019152401.tif 000006
【図５】
2019152401.tif 000007